(57)【要約】【課題】リヤカバー体先端縁部の整地機能を良好に確保すること。【解決手段】取付体は、リヤカバー体側に設けた取付片と整地体側に設けた被取付片とから形成し、取付片には、リヤカバー体の先端縁部よりも後方位置で、かつ、同先端縁部の下面に形成した整地面の仮想延長線よりも上方位置に取付片側係合部を設けると共に、その上方位置に取付片側連結部を設ける一方、被取付片には、前記取付片側係合部に係合する被取付片側係合部を設けると共に、同被取付片側係合部を係合させた取付片側係合部を支点として前記取付片側連結部に連結する被取付片側連結部を設けて、リヤカバー体の先端縁部に取付体を介して整地体を着脱自在に取り付けている。【選択図】図５
2010207148.tif 000002
【特許請求の範囲】
【請求項１】
リヤカバー体の先端縁部に取付体を介して整地体を取り付けたロータリ耕耘装置であって、
取付体は、リヤカバー体側に設けた取付片と整地体側に設けた被取付片とから形成し、
取付片には、リヤカバー体の先端縁部よりも後方位置で、かつ、同先端縁部の下面に形成した整地面の仮想延長線よりも上方位置に取付片側係合部を設けると共に、その上方位置に取付片側連結部を設ける一方、
被取付片には、前記取付片側係合部に係合する被取付片側係合部を設けると共に、同被取付片側係合部を係合させた取付片側係合部を支点として前記取付片側連結部に連結する被取付片側連結部を設けて、
リヤカバー体の先端縁部に取付体を介して整地体を着脱自在に取り付けたことを特徴とするロータリ耕耘装置。
【請求項２】
取付片側係合部は取付片に左右方向に軸線を向けて伸延する支軸片を架設状に取り付けて形成すると共に、同支軸片はリヤカバー体の先端縁部よりも後方位置で、かつ、同先端縁部の下面に形成した整地面の仮想延長線よりも上方位置に配置する一方、被取付片側係合部は上記支軸片に係合するフック状の係合片となし、
取付片側連結部は左右方向に開口する取付片側連結孔となす一方、被取付片側連結部は左右方向に開口すると共に上記支軸片を支点として上記取付片側連結孔と左右方向に符合する被取付片側連結孔となして、
符合させた連結孔同士中には連結ピンを抜き差し自在に挿通して、取付片と被取付片とを連結したことを特徴とする請求項１記載のロータリ耕耘装置。
【請求項３】
取付片側連結孔は、支軸片の軸芯を中心とする同一円周上に間隔を開けて複数形成し、
支軸片に係合片を係合させた状態でいずれの取付片側連結孔にも支軸片を支点として選択的に被取付片側連結孔を符合可能として、
符合させたいずれかの取付片側連結孔と被取付片側連結孔中に連結ピンを挿通することで、整地体の姿勢を変更可能としたことを特徴とする請求項２記載のロータリ耕耘装置。
【発明の詳細な説明】
【技術分野】
【０００１】
本発明は、ロータリ耕耘装置の整地体取付構造に関する。
【背景技術】
【０００２】
従来、ロータリ耕耘装置の一形態として、特許文献１に開示されたものがある。すなわち、かかるロータリ耕耘装置は、リヤカバー体の先端縁部に整地機能をもたせると共に、同先端縁部に取付体を介して整地体を取り付けている。整地体はその取付姿勢を取付体により普通耕耘姿勢と浅耕ないしは代掻き姿勢とに変更自在としている。
【０００３】
そして、取付体はリヤカバー体側に設けた取付片と整地体側に設けた被取付片とから形成している。取付片は、リヤカバー体の先端縁部の左右側部をそれぞれ切り欠いてフック状の係合受け片を形成し、各係合受け片の左右側方に左右一対の連結孔形成片を配置して形成している。連結孔形成片には左右方向に開口する二個の連結孔を上下方向に間隔を開けて形成している。被取付片は、整地体の前端左右側部に平面視Ｕ字状の被取付片を設け、各被取付片の基端部間に左右方向に軸線を向けた係合ピンを横架し、各被取付片の先端部に左右方向に開口する連結孔を形成している。
【０００４】
このようにして、取付片に被取付片を連結する際には、取付片の係合受け片に被取付片の係合ピンを係合させると共に、取付片の下方の連結孔に被取付片の連結孔を左右方向に符合させて、符合する連結ピン中に連結ピンを挿通することで、整地体が普通耕耘姿勢を採るように連結することができる。この際、取付片の上方の連結孔に被取付片の連結孔を左右方向に符合させて、符合する連結ピン中に連結ピンを貫通させることで、整地体が浅耕ないしは代掻き姿勢を採るように連結することができる。
【先行技術文献】
【特許文献】
【０００５】
【特許文献１】特許第３９５００３４号公報
【発明の概要】
【発明が解決しようとする課題】
【０００６】
ところが、前記取付片の係合受け片は、リヤカバー体の先端縁部の左右側部をそれぞれ部分的に切り欠いて形成しているために、リヤカバー本片の強度が低下すると共に、整地機能を有するリヤカバー体の先端縁部と取付片との溶接による接続部に溶接ひずみが生じて、リヤカバー体の先端縁部に歪みが発生することがある。その結果、リヤカバー体先端縁部の整地機能が良好に果たされず、整地作業が良好に確保されない虞がある。
【課題を解決するための手段】
【０００７】
そこで、本発明では、リヤカバー体の先端縁部に取付体を介して整地体を取り付けたロータリ耕耘装置であって、取付体は、リヤカバー体側に設けた取付片と整地体側に設けた被取付片とから形成し、取付片には、リヤカバー体の先端縁部よりも後方位置で、かつ、同先端縁部の下面に形成した整地面の仮想延長線よりも上方位置に取付片側係合部を設けると共に、その上方位置に取付片側連結部を設ける一方、被取付片には、前記取付片側係合部に係合する被取付片側係合部を設けると共に、同被取付片側係合部を係合させた取付片側係合部を支点として前記取付片側連結部に連結する被取付片側連結部を設けて、リヤカバー体の先端縁部に取付体を介して整地体を着脱自在に取り付けたことを特徴とするロータリ耕耘装置を提供するものである。
【０００８】
また、本発明は、以下の構成にも特徴を有する。
（１）取付片側係合部は取付片に左右方向に軸線を向けて伸延する支軸片を架設状に取り付けて形成すると共に、同支軸片はリヤカバー体の先端縁部よりも後方位置で、かつ、同先端縁部の下面に形成した整地面の仮想延長線よりも上方位置に配置する一方、被取付片側係合部は上記支軸片に係合するフック状の係合片となし、取付片側連結部は左右方向に開口する取付片側連結孔となす一方、被取付片側連結部は左右方向に開口すると共に上記支軸片を支点として上記取付片側連結孔と左右方向に符合する被取付片側連結孔となして、符合させた連結孔同士中には連結ピンを抜き差し自在に挿通して、取付片と被取付片とを連結したこと。
（２）取付片側連結孔は、支軸片の軸芯を中心とする同一円周上に間隔を開けて複数形成し、支軸片に係合片を係合させた状態でいずれの取付片側連結孔にも支軸片を支点として選択的に被取付片側連結孔を符合可能として、符合させたいずれかの取付片側連結孔と被取付片側連結孔中に連結ピンを挿通することで、整地体の姿勢を変更可能としたこと。
【発明の効果】
【０００９】
（１）請求項１記載の本発明では、リヤカバー体の先端縁部に取付体を介して整地体を取り付けたロータリ耕耘装置であって、取付体は、リヤカバー体側に設けた取付片と整地体側に設けた被取付片とから形成し、取付片には、リヤカバー体の先端縁部よりも後方位置で、かつ、同先端縁部の下面に形成した整地面の仮想延長線よりも上方位置に取付片側係合部を設けると共に、その上方位置に取付片側連結部を設ける一方、被取付片には、前記取付片側係合部に係合する被取付片側係合部を設けると共に、同被取付片側係合部を係合させた取付片側係合部を支点として前記取付片側連結部に連結する被取付片側連結部を設けて、リヤカバー体の先端縁部に取付体を介して整地体を着脱自在に取り付けている。
【００１０】
このように、リヤカバー体の先端縁部を切り欠くことなく取付片を設けているため、リヤカバー本片の強度が低下することがない。そして、整地機能を有するリヤカバー体の先端縁部と取付片との溶接による接続部に溶接ひずみが生じることもない。従って、リヤカバー体の先端縁部に歪みが発生することがない。その結果、リヤカバー体先端縁部の整地機能を良好に確保することができて、整地作業を良好に行うことができる。
【００１１】
（２）請求項２に記載の本発明では、取付片側係合部は取付片に左右方向に軸線を向けて伸延する支軸片を架設状に取り付けて形成すると共に、同支軸片はリヤカバー体の先端縁部よりも後方位置で、かつ、同先端縁部の下面に形成した整地面の仮想延長線よりも上方位置に配置する一方、被取付片側係合部は上記支軸片に係合するフック状の係合片となし、取付片側連結部は左右方向に開口する取付片側連結孔となす一方、被取付片側連結部は左右方向に開口すると共に上記支軸片を支点として上記取付片側連結孔と左右方向に符合する被取付片側連結孔となして、符合させた連結孔同士中には連結ピンを抜き差し自在に挿通して、取付片と被取付片とを連結している。
【００１２】
このように、左右方向に軸線を向けて伸延する支軸片に、フック状に形成した係合片を上方から係合させて、係合状態にて支軸片を支点として取付片側連結孔と被取付片側連結孔を左右方向に符合させると共に連結ピンを挿通することで、簡単に取付片と被取付片とを連結することができる。この際、支軸片には係合片を一旦上方から係合させて、かかる係合状態にて支軸片を支点とする回動方向に被取付片側連結孔を移動させて連結孔同士を符合させることで、かかる符合作業を楽にかつ堅実に行うことができる。そして、符合した連結孔同士中に連結ピンを挿通するだけで、取付片と被取付片を簡単に連結することができる。
【００１３】
（３）請求項３記載の本発明では、取付片側連結孔は、支軸片の軸芯を中心とする同一円周上に間隔を開けて複数形成し、支軸片に係合片を係合させた状態でいずれの取付片側連結孔にも支軸片を支点として選択的に被取付片側連結孔を符合可能としている。
【００１４】
このように、楽に行うことができる係合作業に続いて、支軸片を支点とする回動方向に整地体を揺動させて、複数の取付片側連結孔のいずれかと被取付片側連結孔とを符合させて連結ピンで連結するだけで、簡単かつ確実に整地体の姿勢を変更することができる。ここで、整地体の姿勢としては、例えば、普通耕耘姿勢と浅耕ないしは代掻き姿勢とに変更させることができる。
【図面の簡単な説明】
【００１５】
【図１】本発明に係るロータリ耕耘装置の斜視図。
【図２】同ロータリ耕耘装置の平面図。
【図３】同ロータリ耕耘装置の側面図。
【図４】リヤカバー体と整地体の連結状態での側面図。
【図５】リヤカバー体と整地体の連結解除状態での斜視説明図。
【図６】リヤカバー体と整地体の連結解除状態での側面説明図。
【図７】整地体の普通耕耘姿勢を示す説明図。
【図８】整地体の浅耕ないしは代掻き姿勢を示す説明図。
【発明を実施するための形態】
【００１６】
以下に本発明の実施形態を図面を参照しながら説明する。ここで、図１は本発明に係るロータリ耕耘装置の斜視図、図２は同ロータリ耕耘装置の平面図、及び、図３は同ロータリ耕耘装置の側面図である。
【００１７】
図１〜図３に示すＡは本発明に係るロータリ耕耘装置である。かかるロータリ耕耘装置Ａはトラクタ等の牽引車（図示せず）に牽引されながら圃場を耕耘することができるように構成している。
【００１８】
すなわち、ロータリ耕耘装置Ａは、図１〜図３に示すように、耕耘動力を伝達する伝動機構と支持機構とを兼ねる伝動・支持機構部１と、同伝動・支持機構部１に取り付けた耕深調整部２及び耕耘カバー部３とを備えている。
【００１９】
そして、伝動・支持機構部１は、前面中央部と左右側部が開口して前記牽引車から動力を取り入れる伝動ギヤを収容した板金製のギヤボックス４と、同ギヤボックス４の左右側端部に内側面部を接続した左右一対の板状の連結用ブラケット５,６と、両連結用ブラケット５,６の外側面部に内側端面を接続して外側方（左右方向）に伸延させた左右一対の円筒状のメインビーム７,８と、左側のメインビーム７の外側端面に上端内側面部を接続して下方へ伸延させた伝動ケース９と、右側のメインビーム８の外側端面に上端部を接続して下方へ伸延させると共に上記伝動ケース９と左右に対向させた軸受け体１０と、同軸受け体１０の下端部と上記伝動ケース９の下端部との間に横架した耕耘軸１１とから形成している。耕耘軸１１の周面には多数の耕耘爪１２を軸線方向に間隔を開けて取り付けている。
【００２０】
また、図２に示すように、連結用ブラケット５,６はそれぞれ前後方向に伸延する板状に形成して、内側面中途部をギヤボックス４の左右側部に開口した開口部４ａ,４ａに面接させて連設している。連結用ブラケット５,６の各前端部には連結用ピン５ａ,６ａを外側方に突出させている。両連結用ピン５ａ,６ａには、牽引車に前端部を連結した左右一対のロワリンク（図示せず）の後端部を連結するようにしている。
【００２１】
図３に示すように、ギヤボックス４の前面中央部に開口した開口部から入力軸１３を前方に向けて突出させている。同入力軸１３にはギヤボックス４内に配設した伝動ギヤ（図示せず）を連動連結している。同伝動ギヤと伝動ケース９内に配設したチェーン機構等の伝動機構（図示せず）との間には、左右方向に伸延する伝動軸１４を左側のメインビーム７中を通して介設している。同伝動軸１４の左側端部と前記耕耘軸１１の左側端部との間に上記伝動機構を介設している。
【００２２】
このようにして、伝動・支持機構部１では、牽引車の動力取出軸から動力を→入力軸１３→伝動ギヤ→伝動軸１４→伝動ケース９内の伝動機構→耕耘軸１１に取り入れて、同耕耘軸１１を回動させることで耕耘爪１２により圃場を耕耘するようにしている。
【００２３】
耕深調整部２は、図１〜図３に示すように、前記ギヤボックス４の上面中央部に載設した連結ブラケット１５と、前記左右一対の連結用ブラケット５,６の後端部に前端部を連結した耕深フレーム枠体１６と、同耕深フレーム枠体１６の中途部と上記連結ブラケット１５の後端部との間に介設した深耕調整作動操作体１７とを具備している。
【００２４】
そして、連結ブラケット１５は、ギヤボックス４の上面中央部にステー１５ｄを介して、下方へ凸状に湾曲させて形成した左右一対のブラケット片１５ａ,１５ａの下端中途部を連設している。両ブラケット片１５ａ,１５ａの前端部間に連結ピン１５ｂを架設している。連結ピン１５ｂには、牽引車に前端部を連結したトップリンク（図示せず）の後端部を連結するようにしている。
【００２５】
また、耕深フレーム枠体１６は、前後方向に伸延する左右一対の前後伸延片１６ａ,１６ａと、左右方向に伸延させて両前後伸延片１６ａ,１６ａの中途部間に横架した左右伸延中途部片１６ｂと、左右方向に伸延させて両前後伸延片１６ａ,１６ａの後端部間に架設した左右伸延後端部片１６ｃとから平面視格子枠状に形成している。左右一対の前後伸延片１６ａ,１６ａは、左右一対の連結用ブラケット５,６の後端部に前端部を連設している。
【００２６】
深耕調整作動操作体１７は、上下方向に伸延する作動片１７ａと、同作動片１７ａの上端部にその軸線廻りに正・逆回転自在に取り付けたハンドル状の回転操作片１７ｂとを具備して、回転操作片１７ｂを正・逆回転させることで作動片１７ａを軸線方向に伸縮させることができるように構成している。そして、前記左右一対のブラケット片１５ａ,１５ａの後端部間に左右方向の軸線廻りに回動自在に枢支片１５ｄを枢支し、同枢支片１５ｄに作動片１７ａの上端部を連結している。また、作動片１７ａの下端部は左右伸延中途部片１６ｂの中央部に連結している。
【００２７】
このようにして、回転操作片１７ｂを正・逆回転させて作動片１７ａを伸縮させると、左右一つのロワリンクとトップリンクに連結した伝動・支持機構部１を前傾姿勢と後傾姿勢との間で姿勢変更して、耕耘爪１２による耕耘深さを調整することができるようにしている。
【００２８】
耕耘カバー部３は、図１〜図３に示すように、伝動ケース９と軸受け体１０との間に開設したロータリカバー体１８と、同ロータリカバー体１８の上端縁部に基端縁部を枢支・連結したリヤカバー体１９と、同リヤカバー体１９の先端縁部に取り付けた整地体２０と、上記ロータリカバー体１８の中途部と前記連結ブラケット１５の右側中途部との間に介設したリヤカバー調整体２１と、上記ロータリカバー体１８の左右側後端縁部に前端縁部を連結したサイドカバー体２２,２２とを具備している。
【００２９】
そして、ロータリカバー体１８は、側面視にて略扇状に形成した左右一対の側方カバー片１８ａ,１８ａの先細り状下部を耕耘軸１１の外周左右側部に枢支して、両側方カバー片１８ａ,１８ａの上端縁部を上方へ凸状の円弧状に形成し、両上端縁部間に上方カバー片１８ｂを架設して正面視門型に形成している。
【００３０】
リヤカバー体１９は、前記上方カバー片１８ｂの後端縁部１８ｃに、同後端縁部１８ｃの左右幅と略同一幅の四角形状に形成したリヤカバー本片１９ａの基端縁部１９ｂを、左右方向に軸線を向けた枢軸２３により枢支して、上方カバー片１８ｂの後端縁部１８ｃから垂下状となしている。そして、リヤカバー体１９は枢軸２３を中心にリヤカバー本片１９ａを上下揺動自在となしている。また、リヤカバー本片１９ａの先端縁部１９ｃはカール状に巻き返して形成している。同先端縁部１９ｃの下端面には整地面１９ｄを形成して、同整地面１９ｄを耕耘した圃場面上に滑動させて圃場面を整地するようにしている。
【００３１】
整地体２０は、リヤカバー体１９の先端縁部１９ｃに、同先端縁部１９ｃの左右幅と略同一幅の四角形状に形成した整地本体２０ａの基端縁部２０ｂを、取付体２４,２４を介して取り付けている。
【００３２】
このようにして、整地体２０により圃場の整地効果を増大させることができるようにしている。
【００３３】
リヤカバー調整体２１は、上下方向に伸延する作動片２１ａと、同作動片２１ａの上端部にその軸線廻りに正・逆回転自在に取り付けたハンドル状の回転操作片２１ｂとを具備して、回転操作片２１ｂを正・逆回転させることで作動片２１ａを軸線方向に伸縮させることができるように構成している。そして、前記上方カバー片１８ｂの後側中途部と前記連結ブラケット１５の右側中途部より右側方に延設した支持片２５との間に作動片２１ａを介設している。
【００３４】
このようにして、前記した耕深調整時に、回転操作片２１ｂを正・逆回転させて作動片２１ａを伸縮させることで、ロータリカバー体１８を耕耘軸１１の軸芯を中心にして前後方向に回動調整して、同ロータリカバー体１８に取り付けたリヤカバー体１９の先端縁部１９ｃの整地面１９ｄが、圃場面に接地する高さに整合するように調整することができるようにしている。
【００３５】
サイドカバー体２２,２２は、それぞれ板状に形成して、前記側方カバー片１８ａ,１８ａの左右側後端縁部に前端縁部２２ａ,２２ａを連結して、側方カバー片１８ａ,１８ａの後端縁部からリヤカバー体１９の側端縁部までの側方を閉塞している。
【００３６】
また、ロータリカバー体１８とリヤカバー体１９との間には、上下方向に伸延する左右一対のハンガーロッド２６,２６を介設して、両ハンガーロッド２６,２６によりリヤカバー体１９を支持している。２７は圧縮スプリングであり、同圧縮スプリング２７はロータリ耕耘装置Ａが上昇された際に、リヤカバー体１９に対して圧縮作用（弾性付勢）することで、リヤカバー体１９が急激に下方へ回動するのを抑制している。２８はハンガーロッド２６の上部を支持する上部ステー、２９はハンガーロッド２６の下部を支持する下部ステーである。
【００３７】
上記のように、リヤカバー体１９の先端縁部１９ｃに取付体２４,２４を介して整地体２０を取り付けた構成において、本発明の要旨は、次の通りである。
【００３８】
すなわち、図４〜図７に示すように、取付体２４は、リヤカバー体１９側に設けた取付片３０と整地体２０側に設けた被取付片３１とから形成し、取付片３０には、リヤカバー体１９の先端縁部１９ｃよりも後方位置で、かつ、同先端縁部１９ｃの下面に形成した整地面１９ｄの仮想延長線Ｋよりも上方位置に取付片側係合部３２を設けると共に、その上方位置に取付片側連結部３３を設ける一方、被取付片３１には、前記取付片側係合部３２に係合する被取付片側係合部３４を設けると共に、同被取付片側係合部３４を係合させた取付片側係合部３２を支点として前記取付片側連結部３３に連結する被取付片側連結部３５を設けて、リヤカバー体１９の先端縁部１９ｃに取付体２４を介して整地体２０を着脱自在に取り付けている。
【００３９】
リヤカバー体１９は、図４〜図６に示すように、リヤカバー本片１９ａの先端部を上方さらには前方へカール状に巻き返して先端縁部１９ｃを屈曲形成している。このようにして、先端縁部１９ｃの強度を補強して、同先端縁部１９ｃの整地面１９ｄによる整地機能を良好に確保している。リヤカバー本片１９ａの上面側左右側部には、上下方向に伸延する左右一対の支持兼補強ブラケット１９ｅ,１９ｅを取り付けている。
【００４０】
整地体２０は、図４〜図６に示すように、整地体本片２０ａをリヤカバー本片１９ａの左右幅と略同一の左右幅を有する横長四角形状に形成すると共に、中途部を下方へ膨出させてソリ状に形成している。そして、整地体本片２０ａの左右側端部には側壁片２０ｃ,２０ｃを取り付けて、整地体２０の剛性を良好に確保している。
【００４１】
取付体２４の一方を形成する取付片３０は、図４〜図６に示すように、各支持兼補強ブラケット１９ｅの左右側面下端部から先端縁部１９ｃの上面に沿わせて左右一対の取付本片３０ａ,３０ａを同先端縁部１９ｃの後方まで突出状に伸延させて形成し、各取付本片３０ａ,３０ａの下端縁後部から先端縁部１９ｃの後端面に沿わせて左右一対の突出片３０ｂ,３０ｂを下方へ突出させて形成している。
【００４２】
左右一対の突出片３０ｂ,３０ｂの下端部間には、左右方向に軸線を向けて伸延する支軸片３２ａを架設して取付片側係合部３２を形成している。そして、支軸片３２ａはリヤカバー体１９の先端縁部１９ｃよりも後方位置で、かつ、同先端縁部１９ｃの下面に形成した整地面１９ｄの仮想延長線Ｋよりも上方位置に配置している。このようにして、支軸片３２ａが整地面１９ｄにより整地した圃場面を乱すことがないようにしている。
【００４３】
取付本片３０ａ,３０ａには、左右方向に開口する複数（本実施形態では各取付本片３０ａに二個づつ）の取付片側連結孔３３ａ, ３３ａ,３３ｂ,３３ｂを、支軸片３２ａの軸芯を中心とする同一円周上にて前後方向に間隔を開けて開口させることで取付片側連結部３３を形成している。
【００４４】
取付体２４の他方を形成する被取付片３１は、図４〜図６に示すように、前記取付片３０,３０と前後方向に対向する整地体本片２０ａの左右側前端縁部の位置にそれぞれ設けている。そして、被取付片３１は、前記取付本片３０ａ,３０ａの左右間隔よりもやや広幅に左右方向に伸延する基部本片３１ａと、同基部本片３１ａの左右側端部から前方へ伸延させた左右一対の伸延片３１ｂ,３１ｂと、基部本片３１ａを支持する支持片３１ｃとから形成している。
【００４５】
左右一対の伸延片３１ｂ,３１ｂ間に位置する整地体本片２０ａの左右側前端縁部は、一部切り欠いて前記支軸片３２ａに係合するフック状の係合片３４ａを設けることで被取付片側係合部３４を形成している。
【００４６】
左右一対の伸延片３１ｂ,３１ｂの先端部には、左右方向に開口すると共に前記支軸片３２ａを支点として前記取付片側連結孔３３ａ, ３３ａ,３３ｂ,３３ｂと左右方向に符合する被取付片側連結孔３５ａ,３５ａを開口させることで被取付片側連結部３５を形成している。
【００４７】
そして、支軸片３２ａに係合片３４ａを上方から係合させた状態で、いずれの取付片側連結孔３３ａ, ３３ａ,３３ｂ,３３ｂにも支軸片３２ａを支点として選択的に被取付片側連結孔３５ａ,３５ａを符合可能としている。また、符合させたいずれかの取付片側連結孔３３ａ, ３３ａ,３３ｂ,３３ｂと被取付片側連結孔３５ａ,３５ａ中には、連結ピン３６を抜き差し自在に挿通して、取付片３０と被取付片３１とを連結することで、整地体２０の姿勢を変更可能としている。３７は抜け止めピンである。
【００４８】
本発明に係る実施形態は上記のように構成しているものであり、リヤカバー体１９の先端縁部１９ｃを切り欠くことなく取付片３０を設けているため、リヤカバー本片１９ａの強度が低下することがない。そして、整地機能を有するリヤカバー体１９の先端縁部１９ｃと取付片３０との溶接による接続部に溶接ひずみが生じることもない。従って、リヤカバー体１９の先端縁部１９ｃに歪みが発生することがない。その結果、リヤカバー体１９の先端縁部１９ｃの整地機能を良好に確保することができて、整地作業を良好に行うことができる。
【００４９】
そして、左右方向に軸線を向けて伸延する支軸片３２ａに、フック状に形成した係合片３４ａを上方から係合させて、係合状態にて支軸片３２ａを支点として取付片側連結孔３３ａ, ３３ａ,３３ｂ,３３ｂと被取付片側連結孔３５ａ,３５ａを左右方向に符合させると共に連結ピン３６を左右いずれか一側方から挿通することで、簡単に取付片３０と被取付片３１とを連結することができる。この際、支軸片３２ａには係合片３４ａを一旦上方から係合させて、かかる係合状態にて支軸片３２ａを支点とする回動方向に被取付片側連結孔３５ａ,３５ａを移動させて連結孔同士を符合させることで、かかる符合作業を楽にかつ堅実に行うことができる。そして、符合した連結孔同士中に連結ピン３６を挿通するだけで、取付片３０と被取付片３１を簡単に連結することができる。
【００５０】
また、楽に行うことができる係合作業に続いて、支軸片３２ａを支点とする回動方向（上下方向）に整地体２０を揺動させて、二個の取付片側連結孔３３ａ, ３３ａ,３３ｂ,３３ｂのいずれかと被取付片側連結孔３５ａ,３５ａとを符合させて連結ピン３６で連結するだけで、簡単かつ確実に整地体の姿勢を変更することができる。
【００５１】
ここで、整地体２０の姿勢としては、図７に示すように、前方の取付片側連結孔３３ａ, ３３ａと被取付片側連結孔３５ａとを符合させて連結ピン３６で挿通することで得られる普通耕耘姿勢（ａ）と、図８に示すように、後方の取付片側連結孔３３ｂ,３３ｂと被取付片側連結孔３５ａとを符合させて連結ピン３６で挿通することで得られる浅耕ないしは代掻き姿勢（ｂ）とがある。なお、深耕ないしはうね立て時には、リヤカバー体１９から整地体２０を取り外しておくことができる。
【産業上の利用可能性】
【００５２】
整地性能を良好に確保することができるリヤカバー体と整地体との取付構造を提供することができる。
【符号の説明】
【００５３】
Ａ  ロータリ耕耘装置
１  伝動・支持機構部
２  耕深調整部
３  耕耘カバー部
４  ギヤボックス
５,６  連結用ブラケット
７,８  メインビーム
３０  取付片
３１  被取付片
３２  取付片側係合部
３３  取付片側連結部
３４  被取付片側係合部
３５  取付片側連結部
【図１】
2010207148.tif 000003
【図２】
2010207148.tif 000004
【図３】
2010207148.tif 000005
【図４】
2010207148.tif 000006
【図５】
2010207148.tif 000007
【図６】
2010207148.tif 000008
【図７】
2010207148.tif 000009
【図８】
2010207148.tif 000010